(57)【要約】      （修正有）【課題】  クレジットカードのポイントとそれ以外のポイントを共に処理をする技術を提供すること。【解決手段】  サーバの制御手段は、端末から送信されて来たクライアント識別情報、スタッフ識別情報、及びＣポイント情報を基にして識別情報データテーブルから読み出した会員識別情報と該Ｃポイント情報とを関連付けてＣポイント情報データテーブルに記憶せしめるＣポイント情報データテーブル作成手段とＣポイント情報データテーブルに記憶されている情報を読み出し、この読み出された該会員識別情報のＣポイント情報に対応するポイントコストを該会員識別情報に基づいて識別情報データテーブルから読み出したクライアント識別情報に基づいて契約内容データテーブルから読み出した契約内容に基づいて算出し、この算出されたポイントコストと該クライアント識別情報とを関連付けてポイントコストデータテーブルに記憶せしめるポイントコスト算出手段等を具備する。【選択図】    図１
2006350597.tif 000002
【特許請求の範囲】
【請求項１】
クレジットカード保有者に付与されたポイントを処理する為のもので、クライアント端末と、前記クライアント端末が接続されているサーバーとを具備するポイントシステムであって、
前記クライアント端末は入力手段と記憶手段と制御手段とを具備し、
前記サーバーは記憶手段と制御手段とを具備し、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段
とを具備してなる
ことを特徴とするポイントシステム。
【請求項２】
クレジットカード保有者に付与されたポイントを処理する為のもので、クライアント端末と、前記クライアント端末が接続されているサーバーとを具備するポイントシステムであって、
前記クライアント端末は入力手段と記憶手段と制御手段とを具備し、
前記サーバーは記憶手段と制御手段とを具備し、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記クレジットカードの効力とが関連付けられて記憶されているクレジットカード効力データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記クライアント端末から送信されて来たクライアント識別情報、及びスタッフ識別情報を基にして前記識別情報データテーブルから読み出した会員識別情報を基にして前記クレジットカード効力データテーブルから該クレジットカードの効力を読み出し、クレジットカードの有効・無効を判定するクレジットカード効力判定手段と、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段と、
前記クレジットカード効力判定手段によるクレジットカードの効力が無効と判定された場合、該無効のクレジットカードのスタッフ識別情報をクライアント端末に送信させる送信指示手段
とを具備してなる
ことを特徴とするポイントシステム。
【請求項３】
クレジットカード保有者に付与されたポイントを処理する為のもので、センター端末と、クライアント端末と、前記センター端末および前記クライアント端末が接続されているサーバーとを具備するポイントシステムであって、
前記センター端末は入力手段と制御手段とを具備し、
前記クライアント端末は入力手段と記憶手段と制御手段とを具備し、
前記サーバーは記憶手段と制御手段とを具備し、
前記センター端末の制御手段は、
会員識別情報、及びＡポイント情報を前記サーバーに向けて送信させるよう構成されてなり、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記Ａポイント情報とが関連付けられて記憶されるＡポイント情報データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記センター端末から送信されて来た会員識別情報とＡポイント情報とを関連付けて前記Ａポイント情報データテーブルに記憶せしめるＡポイント情報データテーブル作成手段と、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段
とを具備してなる
ことを特徴とするポイントシステム。
【請求項４】
クレジットカード保有者に付与されたポイントを処理する為のもので、センター端末と、クライアント端末と、前記センター端末および前記クライアント端末が接続されているサーバーとを具備するポイントシステムであって、
前記センター端末は入力手段と制御手段とを具備し、
前記クライアント端末は入力手段と記憶手段と制御手段とを具備し、
前記サーバーは記憶手段と制御手段とを具備し、
前記センター端末の制御手段は、
会員識別情報、及びＡポイント情報を前記サーバーに向けて送信させるよう構成されてなり、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記クレジットカードの効力とが関連付けられて記憶されているクレジットカード効力データテーブルと、
会員識別情報と前記Ａポイント情報とが関連付けられて記憶されるＡポイント情報データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記クライアント端末から送信されて来たクライアント識別情報、及びスタッフ識別情報を基にして前記識別情報データテーブルから読み出した会員識別情報を基にして前記クレジットカード効力データテーブルから該クレジットカードの効力を読み出し、クレジットカードの有効・無効を判定するクレジットカード効力判定手段と、
前記センター端末から送信されて来た会員識別情報とＡポイント情報とを関連付けて前記Ａポイント情報データテーブルに記憶せしめるＡポイント情報データテーブル作成手段と、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段と、
前記クレジットカード効力判定手段によるクレジットカードの効力が無効と判定された場合、該無効のクレジットカードのスタッフ識別情報をクライアント端末に送信させる送信指示手段
とを具備してなる
ことを特徴とするポイントシステム。
【請求項５】
前記クライアント端末の記憶手段は、
スタッフ識別情報と該スタッフ識別情報該当者に付与されたＣポイント情報とが関連付けられて記憶されているスタッフ識別情報−Ｃポイント情報データテーブルを具備してなり、
前記クライアント端末の制御手段は、
前記スタッフ識別情報−Ｃポイント情報データテーブルに記憶されているスタッフ識別情報、Ｃポイント情報、及びクライアント端末が対応するクライアント識別情報を前記サーバーに向けて送信させ、又、前記サーバーから送信されて来た情報を受信させてクライアント端末の記憶手段に記憶させるよう構成されてなる
ことを特徴とする請求項１〜請求項４いずれかのポイントシステム。
【請求項６】
クレジットカード保有者に付与されたポイントを処理するポイントシステムにおけるサーバーであって、
前記サーバーは記憶手段と制御手段とを具備し、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報とＣポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
該サーバーに接続されているクライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段
とを具備してなる
ことを特徴とするサーバー。
【請求項７】
クレジットカード保有者に付与されたポイントを処理するポイントシステムにおけるサーバーであって、
前記サーバーは記憶手段と制御手段とを具備し、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記クレジットカードの効力とが関連付けられて記憶されているクレジットカード効力データテーブルと、
会員識別情報とＣポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
該サーバーに接続されているクライアント端末から送信されて来たクライアント識別情報、及びスタッフ識別情報を基にして前記識別情報データテーブルから読み出した会員識別情報を基にして前記クレジットカード効力データテーブルから該クレジットカードの効力を読み出し、クレジットカードの有効・無効を判定するクレジットカード効力判定手段と、
該サーバーに接続されているクライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段と、
前記クレジットカード効力判定手段によるクレジットカードの効力が無効と判定された場合、該無効のクレジットカードのスタッフ識別情報をクライアント端末に送信させる送信指示手段
とを具備してなる
ことを特徴とするサーバー。
【請求項８】
クライアント識別情報とスタッフ識別情報と会員識別情報とが関連付けられて記憶されている識別情報データテーブルと、クライアント識別情報とクライアント契約内容とが関連付けられて記憶されている契約内容データテーブルと、会員識別情報とクレジットカードの効力とが関連付けられて記憶されているクレジットカード効力データテーブルと、会員識別情報とＣポイント情報とが関連付けられて記憶されるＣポイント情報データテーブルと、クライアント識別情報とポイントコストとが関連付けられて記憶されるポイントコストデータテーブルとを具備したサーバー、及びクライアント端末が用いられることによって、クレジットカード保有者に該クレジットカードの使用に拘らずポイントが加算されるポイント付与方法であって、
前記クライアント端末の制御手段が、クライアント識別情報、スタッフ識別情報、及び該スタッフ識別情報該当者に付与されたＣポイント情報を前記サーバーに向けて送信させるＣポイント情報送信ステップと、
前記サーバーの制御手段が、クライアント識別情報、スタッフ識別情報、及びＣポイント情報を受信させるＣポイント情報受信ステップと、
前記Ｃポイント情報受信ステップの後、前記サーバーの制御手段が、前記受信したクライアント識別情報、及びスタッフ識別情報を基にして前記識別情報データテーブルから会員識別情報を読み出し、該会員識別情報を基にして前記クレジットカード効力データテーブルから該クレジットカードの効力を読み出し、クレジットカードの有効・無効を判定するクレジットカード効力判定ステップと、
前記クレジットカード効力判定ステップにおいてクレジットカードが無効と判定された場合、前記サーバーの制御手段が、その無効情報、及びスタッフ識別情報を前記クライアント端末に向けて送信させる無効情報送信ステップと、
前記クレジットカード効力判定ステップにおいてクレジットカードが有効と判定された場合、前記サーバーの制御手段が、前記受信したＣポイント情報と前記会員識別情報とを関連付けて前記Ｃポイント情報データテーブルに記憶せしめるＣポイント情報データテーブル作成ステップと、
前記サーバーの制御手段が、前記Ｃポイント情報データテーブルに記憶されている情報を読み出し、この読み出した会員識別情報を基にして前記識別情報データテーブルからクライアント識別情報を読み出し、この読み出したクライアント識別情報を基にして前記契約内容データテーブルから契約内容を読み出し、この契約内容と前記Ｃポイント情報データテーブルから読み出したＣポイント情報とからポイントコストを算出し、この算出したポイントコストと該クライアント識別情報とを関連付けて前記ポイントコストデータテーブルに記憶せしめるポイントコスト算出ステップと、
前記サーバーの制御手段が、前記ポイントコストデータテーブルに記憶されている情報を読み出してクライアント端末に送信させるポイントコスト送信ステップと、
前記クライアント端末の制御手段がポイントコストを受信・記憶せしめる受信・記憶ステップ
とを具備することを特徴とするポイント付与方法。
【請求項９】
クレジットカード保有者にポイントを付与する為に、サーバーを、
送信されて来たクライアント識別情報、スタッフ識別情報、及びＣポイント情報を基にして、クライアント識別情報とスタッフ識別情報と会員識別情報とが関連付けられて記憶されている識別情報データテーブルから読み出した会員識別情報と該Ｃポイント情報とを関連付けてＣポイント情報データテーブルに記憶せしめるＣポイント情報データテーブル作成手段、
前記Ｃポイント情報データテーブルに記憶されている情報を読み出し、この読み出した該会員識別情報のＣポイント情報に対応するポイントコストを、該会員識別情報に基づいて識別情報データテーブルから読み出したクライアント識別情報に基づいてクライアント識別情報とクライアント契約内容とが関連付けられて記憶されている契約内容データテーブルから読み出したクライアント契約内容に基づいて算出し、この算出したポイントコストと該クライアント識別情報とを関連付けてポイントコストデータテーブルに記憶せしめるポイントコスト算出手段、
前記ポイントコストデータテーブルに記憶されている情報を読み出してクライアント端末に送信させる送信指示手段
として機能させることを特徴とするポイント付与プログラム。
【請求項１０】
クレジットカード保有者にポイントを付与する為に、サーバーを、
送信されて来たクライアント識別情報、及びスタッフ識別情報を基にしてクライアント識別情報とスタッフ識別情報と会員識別情報とが関連付けられて記憶されている識別情報データテーブルから読み出した会員識別情報を基にして会員識別情報と前記クレジットカードの効力とが関連付けられて記憶されているクレジットカード効力データテーブルから該クレジットカードの効力を読み出し、クレジットカードの有効・無効を判定するクレジットカード効力判定手段、
送信されて来たクライアント識別情報、スタッフ識別情報、及びＣポイント情報を基にして、識別情報データテーブルから読み出した会員識別情報と該Ｃポイント情報とを関連付けてＣポイント情報データテーブルに記憶せしめるＣポイント情報データテーブル作成手段、
前記Ｃポイント情報データテーブルに記憶されている情報を読み出し、この読み出した該会員識別情報のＣポイント情報に対応するポイントコストを、該会員識別情報に基づいて識別情報データテーブルから読み出したクライアント識別情報に基づいてクライアント識別情報とクライアント契約内容とが関連付けられて記憶されている契約内容データテーブルから読み出したクライアント契約内容に基づいて算出し、この算出したポイントコストと該クライアント識別情報とを関連付けてポイントコストデータテーブルに記憶せしめるポイントコスト算出手段、
前記ポイントコストデータテーブルに記憶されている情報を読み出してクライアント端末に送信させる送信指示手段
前記クレジットカード効力判定手段によるクレジットカードの効力が無効と判定された場合、該無効のクレジットカードのスタッフ識別情報をクライアント端末に送信させる送信指示手段
として機能させることを特徴とするポイント付与プログラム。
【請求項１１】
クレジットカード保有者にポイントを付与する為に、サーバーを、
クライアント識別情報、スタッフ識別情報、及びＣポイント情報を受信させ、
前記受信したクライアント識別情報、及びスタッフ識別情報を基にしてクライアント識別情報とスタッフ識別情報と会員識別情報とが関連付けられて記憶されている識別情報データテーブルから会員識別情報を読み出し、該会員識別情報を基にして会員識別情報と前記クレジットカードの効力とが関連付けられて記憶されているクレジットカード効力データテーブルから該クレジットカードの効力を読み出し、クレジットカードの有効・無効を判定させ、
前記クレジットカード効力の判定においてクレジットカードが無効と判定された場合、その無効情報、及びスタッフ識別情報をクライアント端末に向けて送信させ、
前記クレジットカード効力の判定においてクレジットカードが有効と判定された場合、前記受信したＣポイント情報と前記会員識別情報とを関連付けてＣポイント情報データテーブルに記憶せしめ、
前記Ｃポイント情報データテーブルに記憶されている情報を読み出し、この読み出した会員識別情報を基にして前記識別情報データテーブルからクライアント識別情報を読み出し、この読み出したクライアント識別情報を基にしてクライアント識別情報とクライアント契約内容とが関連付けられて記憶されている契約内容データテーブルから契約内容を読み出し、この契約内容と前記Ｃポイント情報データテーブルから読み出したＣポイント情報とからポイントコストを算出し、この算出したポイントコストと該クライアント識別情報とを関連付けてポイントコストデータテーブルに記憶せしめ、
前記ポイントコストデータテーブルに記憶されている情報を読み出してクライアント端末に送信させる
ことを特徴とするポイント付与プログラム。
【発明の詳細な説明】
【技術分野】
【０００１】
本発明は、所謂、ポイントサービスに関するものである。特に、クレジットカードの使用に伴って付与されるポイントと、クレジットカードの使用に拘らずに付与されるポイントとを共に処理、例えばクレジットカード発行者が付与するポイントとクレジットカード発行者以外のものが付与するポイントとを共に処理する為の技術に関する。
【背景技術】
【０００２】
商店で商品を購入して支払がなされた際、購入者に所定のポイントを付与し、このポイントが所定の点数に到達した場合、特定の商品をプレゼントしたり、或いは所定の金額に換算して支払の一部とする等のサービスが広く行われている。すなわち、この種のポイントシステムは、再度の来店・購入を期待して広く採用されている。
【０００３】
ところで、この種のポイントシステムが、クレジットカードの普及を目的として、クレジットカードの世界にも導入されている。すなわち、クレジットカードでの支払いがなされた場合、その支払額（売上高）に応じて、クレジットカード発行会社がクレジットカード保有者に対してサービスポイントを提供している。そして、このポイントが所定の点数まで溜まると、所定の商品が貰えたり、所定のサービスが受けられると言う特典を有しているものである。
【発明の開示】
【発明が解決しようとする課題】
【０００４】
例えば、人材派遣会社（単に、派遣会社とも言う。）は、労働契約を締結する派遣社員や請負労働者（派遣スタッフ）の募集促進とか、業務スキルの高い派遣スタッフの当該派遣会社に対する帰属意識の強化とか、登録済み派遣スタッフの非稼動化防止ならびに再活性化を目的として、ポイントサービスを導入したいと言う要望が起きるであろうと予想される。特に、近年、非正規雇用に属する派遣スタッフは急激に増加しており、又、受入企業側のニーズ・業法の規制緩和・働く側のライフスタイルの多様化などにより、今後も増加は間違いないと考えられている。一方、派遣業界にあっては、マーケット拡大に伴う新規参入の増加、大手による寡占化の進展により派遣単価の低下傾向から、競争が激化している。そして、派遣単価を十分に確保できる専門知識・高度なスキルを有する派遣スタッフの安定確保は派遣会社にとって喫緊の課題であり、このようなことからもポイントサービスの導入が求められるであろうと予想される。
【０００５】
ところで、派遣会社がポイントカードを自社発行するには手間が掛かり過ぎ、即ち、魅力的なポイントサービスを実施するにはコスト負担が大き過ぎるであろうと予想され、ポイントサービスを他社のポイントサービスに乗り掛かりたいと言う要望が生ずるであろうと予想される。
【０００６】
しかしながら、このような場合、如何なるシステムを構築すれば良いかは全く考えられていない。
【０００７】
従って、本発明が解決しようとする課題は、他社のポイントサービスも含めて付与できる技術を提供することである。
【課題を解決するための手段】
【０００８】
前記の課題は、クレジットカード保有者に付与されたポイントを処理する為のもので、クライアント端末と、前記クライアント端末が接続されているサーバーとを具備するポイントシステムであって、
前記クライアント端末は入力手段と記憶手段と制御手段とを具備し、
前記サーバーは記憶手段と制御手段とを具備し、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段
とを具備してなる
ことを特徴とするポイントシステムによって解決される。
【０００９】
又、クレジットカード保有者に付与されたポイントを処理する為のもので、クライアント端末と、前記クライアント端末が接続されているサーバーとを具備するポイントシステムであって、
前記クライアント端末は入力手段と記憶手段と制御手段とを具備し、
前記サーバーは記憶手段と制御手段とを具備し、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記クレジットカードの効力とが関連付けられて記憶されているクレジットカード効力データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記クライアント端末から送信されて来たクライアント識別情報、及びスタッフ識別情報を基にして前記識別情報データテーブルから読み出した会員識別情報を基にして前記クレジットカード効力データテーブルから該クレジットカードの効力を読み出し、クレジットカードの有効・無効を判定するクレジットカード効力判定手段と、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段と、
前記クレジットカード効力判定手段によるクレジットカードの効力が無効と判定された場合、該無効のクレジットカードのスタッフ識別情報をクライアント端末に送信させる送信指示手段
とを具備してなる
ことを特徴とするポイントシステムによって解決される。
【００１０】
又、クレジットカード保有者に付与されたポイントを処理する為のもので、センター端末と、クライアント端末と、前記センター端末および前記クライアント端末が接続されているサーバーとを具備するポイントシステムであって、
前記センター端末は入力手段と制御手段とを具備し、
前記クライアント端末は入力手段と記憶手段と制御手段とを具備し、
前記サーバーは記憶手段と制御手段とを具備し、
前記センター端末の制御手段は、
会員識別情報、及びＡポイント情報を前記サーバーに向けて送信させるよう構成されてなり、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記Ａポイント情報とが関連付けられて記憶されるＡポイント情報データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記センター端末から送信されて来た会員識別情報とＡポイント情報とを関連付けて前記Ａポイント情報データテーブルに記憶せしめるＡポイント情報データテーブル作成手段と、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段
とを具備してなる
ことを特徴とするポイントシステムによって解決される。
【００１１】
又、クレジットカード保有者に付与されたポイントを処理する為のもので、センター端末と、クライアント端末と、前記センター端末および前記クライアント端末が接続されているサーバーとを具備するポイントシステムであって、
前記センター端末は入力手段と制御手段とを具備し、
前記クライアント端末は入力手段と記憶手段と制御手段とを具備し、
前記サーバーは記憶手段と制御手段とを具備し、
前記センター端末の制御手段は、
会員識別情報、及びＡポイント情報を前記サーバーに向けて送信させるよう構成されてなり、
前記クライアント端末の制御手段は、
クライアント識別情報、スタッフ識別情報、及び該スタッフ識別情報該当者に付与されたＣポイント情報を前記サーバーに向けて送信させ、又、前記サーバーから送信されて来た情報を受信させてクライアント端末の記憶手段に記憶させるよう構成されてなり、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記クレジットカードの効力とが関連付けられて記憶されているクレジットカード効力データテーブルと、
会員識別情報と前記Ａポイント情報とが関連付けられて記憶されるＡポイント情報データテーブルと、
会員識別情報と前記Ｃポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
前記クライアント端末から送信されて来たクライアント識別情報、及びスタッフ識別情報を基にして前記識別情報データテーブルから読み出した会員識別情報を基にして前記クレジットカード効力データテーブルから該クレジットカードの効力を読み出し、クレジットカードの有効・無効を判定するクレジットカード効力判定手段と、
前記センター端末から送信されて来た会員識別情報とＡポイント情報とを関連付けて前記Ａポイント情報データテーブルに記憶せしめるＡポイント情報データテーブル作成手段と、
前記クライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段と、
前記クレジットカード効力判定手段によるクレジットカードの効力が無効と判定された場合、該無効のクレジットカードのスタッフ識別情報をクライアント端末に送信させる送信指示手段
とを具備してなる
ことを特徴とするポイントシステムによって解決される。
【００１２】
又、前記クライアント端末の記憶手段は、
スタッフ識別情報と該スタッフ識別情報該当者に付与されたＣポイント情報とが関連付けられて記憶されているスタッフ識別情報−Ｃポイント情報データテーブルを具備してなり、
前記クライアント端末の制御手段は、
前記スタッフ識別情報−Ｃポイント情報データテーブルに記憶されているスタッフ識別情報、Ｃポイント情報、及びクライアント端末が対応するクライアント識別情報を前記サーバーに向けて送信させ、又、前記サーバーから送信されて来た情報を受信させてクライアント端末の記憶手段に記憶させるよう構成されてなる
ことを特徴とする上記のポイントシステムによって解決される。
【００１３】
又、前記の課題は、クレジットカード保有者に付与されたポイントを処理するポイントシステムにおけるサーバーであって、
前記サーバーは記憶手段と制御手段とを具備し、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報とＣポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
該サーバーに接続されているクライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段
とを具備してなる
ことを特徴とするサーバーによって解決される。
【００１４】
又、クレジットカード保有者に付与されたポイントを処理するポイントシステムにおけるサーバーであって、
前記サーバーは記憶手段と制御手段とを具備し、
前記サーバーの記憶手段は、
クライアント識別情報とスタッフ識別情報と会員識別情報とが関連付けられて記憶されている識別情報データテーブルと、
クライアント識別情報とクライアント契約内容とが関連付けられて記憶されている契約内容データテーブルと、
会員識別情報と前記クレジットカードの効力とが関連付けられて記憶されているクレジットカード効力データテーブルと、
会員識別情報とＣポイント情報とが関連付けられて記憶されるＣポイント情報データテーブルと、
クライアント識別情報とポイントコストとが関連付けられて記憶されるポイントコストデータテーブル
とを具備してなり、
前記サーバーの制御手段は、
該サーバーに接続されているクライアント端末から送信されて来たクライアント識別情報、及びスタッフ識別情報を基にして前記識別情報データテーブルから読み出した会員識別情報を基にして前記クレジットカード効力データテーブルから該クレジットカードの効力を読み出し、クレジットカードの有効・無効を判定するクレジットカード効力判定手段と、
該サーバーに接続されているクライアント端末から送信されて来たクライアント識別情報、スタッフ識別情報、及びＣポイント情報を基にして前記識別情報データテーブルから読み出した会員識別情報と該Ｃポイント情報とを関連付けて前記Ｃポイント情報データテーブルに記憶せしめるＣポイント情報データテーブル作成手段と、
前記Ｃポイント情報データテーブルに記憶されている情報を読み出し、この読み出された該会員識別情報のＣポイント情報に対応するポイントコストを、該会員識別情報に基づいて前記識別情報データテーブルから読み出したクライアント識別情報に基づいて前記契約内容データテーブルから読み出したクライアント契約内容に基づいて算出し、この算出されたポイントコストと該クライアント識別情報とを関連付けて前記ポイントコストデータテーブルに記憶せしめるポイントコスト算出手段と、
前記ポイントコストデータテーブルに記憶されている情報を読み出してクライアント端末に送信させる送信指示手段と、
前記クレジットカード効力判定手段によるクレジットカードの効力が無効と判定された場合、該無効のクレジットカードのスタッフ識別情報をクライアント端末に送信させる送信指示手段
とを具備してなる
ことを特徴とするサーバーによって解決される。
【００１５】
又、前記の課題は、クライアント識別情報とスタッフ識別情報と会員識別情報とが関連付けられて記憶されている識別情報データテーブルと、クライアント識別情報とクライアント契約内容とが関連付けられて記憶されている契約内容データテーブルと、会員識別情報とクレジットカードの効力とが関連付けられて記憶されているクレジットカード効力データテーブルと、会員識別情報とＣポイント情報とが関連付けられて記憶されるＣポイント情報データテーブルと、クライアント識別情報とポイントコストとが関連付けられて記憶されるポイントコストデータテーブルとを具備したサーバー、及びクライアント端末が用いられることによって、クレジットカード保有者に該クレジットカードの使用に拘らずポイントが加算されるポイント付与方法であって、
前記クライアント端末の制御手段が、クライアント識別情報、スタッフ識別情報、及び該スタッフ識別情報該当者に付与されたＣポイント情報を前記サーバーに向けて送信させるＣポイント情報送信ステップと、
前記サーバーの制御手段が、クライアント識別情報、スタッフ識別情報、及びＣポイント情報を受信させるＣポイント情報受信ステップと、
前記Ｃポイント情報受信ステップの後、前記サーバーの制御手段が、前記受信したクライアント識別情報、及びスタッフ識別情報を基にして前記識別情報データテーブルから会員識別情報を読み出し、該会員識別情報を基にして前記クレジットカード効力データテーブルから該クレジットカードの効力を読み出し、クレジットカードの有効・無効を判定するクレジットカード効力判定ステップと、
前記クレジットカード効力判定ステップにおいてクレジットカードが無効と判定された場合、前記サーバーの制御手段が、その無効情報、及びスタッフ識別情報を前記クライアント端末に向けて送信させる無効情報送信ステップと、
前記クレジットカード効力判定ステップにおいてクレジットカードが有効と判定された場合、前記サーバーの制御手段が、前記受信したＣポイント情報と前記会員識別情報とを関連付けて前記Ｃポイント情報データテーブルに記憶せしめるＣポイント情報データテーブル作成ステップと、
前記サーバーの制御手段が、前記Ｃポイント情報データテーブルに記憶されている情報を読み出し、この読み出した会員識別情報を基にして前記識別情報データテーブルからクライアント識別情報を読み出し、この読み出したクライアント識別情報を基にして前記契約内容データテーブルから契約内容を読み出し、この契約内容と前記Ｃポイント情報データテーブルから読み出したＣポイント情報とからポイントコストを算出し、この算出したポイントコストと該クライアント識別情報とを関連付けて前記ポイントコストデータテーブルに記憶せしめるポイントコスト算出ステップと、
前記サーバーの制御手段が、前記ポイントコストデータテーブルに記憶されている情報を読み出してクライアント端末に送信させるポイントコスト送信ステップと、
前記クライアント端末の制御手段がポイントコストを受信・記憶せしめる受信・記憶ステップ
とを具備することを特徴とするポイント付与方法によって解決される。
【００１６】
又、前記の課題は、クレジットカード保有者にポイントを付与する為に、サーバーを、
送信されて来たクライアント識別情報、スタッフ識別情報、及びＣポイント情報を基にして、クライアント識別情報とスタッフ識別情報と会員識別情報とが関連付けられて記憶されている識別情報データテーブルから読み出した会員識別情報と該Ｃポイント情報とを関連付けてＣポイント情報データテーブルに記憶せしめるＣポイント情報データテーブル作成手段、
前記Ｃポイント情報データテーブルに記憶されている情報を読み出し、この読み出した該会員識別情報のＣポイント情報に対応するポイントコストを、該会員識別情報に基づいて識別情報データテーブルから読み出したクライアント識別情報に基づいてクライアント識別情報とクライアント契約内容とが関連付けられて記憶されている契約内容データテーブルから読み出したクライアント契約内容に基づいて算出し、この算出したポイントコストと該クライアント識別情報とを関連付けてポイントコストデータテーブルに記憶せしめるポイントコスト算出手段、
前記ポイントコストデータテーブルに記憶されている情報を読み出してクライアント端末に送信させる送信指示手段
として機能させることを特徴とするポイント付与プログラムによって解決される。
【００１７】
又、クレジットカード保有者にポイントを付与する為に、サーバーを、
送信されて来たクライアント識別情報、及びスタッフ識別情報を基にしてクライアント識別情報とスタッフ識別情報と会員識別情報とが関連付けられて記憶されている識別情報データテーブルから読み出した会員識別情報を基にして会員識別情報と前記クレジットカードの効力とが関連付けられて記憶されているクレジットカード効力データテーブルから該クレジットカードの効力を読み出し、クレジットカードの有効・無効を判定するクレジットカード効力判定手段、
送信されて来たクライアント識別情報、スタッフ識別情報、及びＣポイント情報を基にして、識別情報データテーブルから読み出した会員識別情報と該Ｃポイント情報とを関連付けてＣポイント情報データテーブルに記憶せしめるＣポイント情報データテーブル作成手段、
前記Ｃポイント情報データテーブルに記憶されている情報を読み出し、この読み出した該会員識別情報のＣポイント情報に対応するポイントコストを、該会員識別情報に基づいて識別情報データテーブルから読み出したクライアント識別情報に基づいてクライアント識別情報とクライアント契約内容とが関連付けられて記憶されている契約内容データテーブルから読み出したクライアント契約内容に基づいて算出し、この算出したポイントコストと該クライアント識別情報とを関連付けてポイントコストデータテーブルに記憶せしめるポイントコスト算出手段、
前記ポイントコストデータテーブルに記憶されている情報を読み出してクライアント端末に送信させる送信指示手段
前記クレジットカード効力判定手段によるクレジットカードの効力が無効と判定された場合、該無効のクレジットカードのスタッフ識別情報をクライアント端末に送信させる送信指示手段
として機能させることを特徴とするポイント付与プログラムによって解決される。
【００１８】
又、クレジットカード保有者にポイントを付与する為に、サーバーを、
クライアント識別情報、スタッフ識別情報、及びＣポイント情報を受信させ、
前記受信したクライアント識別情報、及びスタッフ識別情報を基にしてクライアント識別情報とスタッフ識別情報と会員識別情報とが関連付けられて記憶されている識別情報データテーブルから会員識別情報を読み出し、該会員識別情報を基にして会員識別情報と前記クレジットカードの効力とが関連付けられて記憶されているクレジットカード効力データテーブルから該クレジットカードの効力を読み出し、クレジットカードの有効・無効を判定させ、
前記クレジットカード効力の判定においてクレジットカードが無効と判定された場合、その無効情報、及びスタッフ識別情報をクライアント端末に向けて送信させ、
前記クレジットカード効力の判定においてクレジットカードが有効と判定された場合、前記受信したＣポイント情報と前記会員識別情報とを関連付けてＣポイント情報データテーブルに記憶せしめ、
前記Ｃポイント情報データテーブルに記憶されている情報を読み出し、この読み出した会員識別情報を基にして前記識別情報データテーブルからクライアント識別情報を読み出し、この読み出したクライアント識別情報を基にしてクライアント識別情報とクライアント契約内容とが関連付けられて記憶されている契約内容データテーブルから契約内容を読み出し、この契約内容と前記Ｃポイント情報データテーブルから読み出したＣポイント情報とからポイントコストを算出し、この算出したポイントコストと該クライアント識別情報とを関連付けてポイントコストデータテーブルに記憶せしめ、
前記ポイントコストデータテーブルに記憶されている情報を読み出してクライアント端末に送信させる
ことを特徴とするポイント付与プログラムによって解決される。
【発明の効果】
【００１９】
本発明によれば、クレジットカード発行会社が提供するポイントサービスのシステムを借用してポイントサービスを実行できる。従って、極めて簡単、かつ、低廉なコストでポイントサービスを社員に提供できる。
【００２０】
特に、クレジットカードを使用した決済に基づいて提供されるＡポイントとクライアントによって任意に提供されるＣポイントとを別々に記憶させているので、他社ポイントサービスを実行できる。
【００２１】
又、クレジットカード発行会社によるクレジットカードを派遣会社発行の派遣スタッフ登録証としても利用できる。
【発明を実施するための最良の形態】
【００２２】
図１〜図１０は本発明の一実施形態を示すもので、図１はポイントシステム全体の概略図、図２はクライアント識別情報とスタッフ識別情報と会員識別情報とが関連付けられて記憶されている識別情報データテーブルの概略図、図３はクライアント識別情報とクライアント契約内容とが関連付けられて記憶されている契約内容データテーブルの概略図、図４は会員識別情報とクレジットカードの効力とが関連付けられて記憶されているクレジットカード効力データテーブルの概略図、図５は会員識別情報とＡポイント情報やＣポイント情報とが関連付けられて記憶されるポイント情報データテーブルの概略図、図６はクライアント識別情報とポイントコストとが関連付けられて記憶されるポイントコストデータテーブルの概略図、図７はスタッフ識別情報と該スタッフ識別情報該当者に付与されたＣポイント情報とが関連付けられて記憶されているスタッフ識別情報−Ｃポイント情報データテーブルの概略図、図８は会員識別情報と売上日と売上金額とが関連付けられて記憶される売上データテーブルの概略図、図９及び図１０はポイント付与の動作説明図である。
【００２３】
尚、クライアント識別情報とは、クライアントに付与された固有の識別情報である。例えば、本システムを運営・稼動する企業（例えば、ＡＰＬＵＳ社）が提携した派遣会社に割り当てた企業番号である。スタッフ識別情報とは、クライアント（例えば、派遣会社）に属するスタッフに付与された固有の識別情報である。例えば、派遣会社が登録メンバー（スタッフ）を識別する為に付与したスタッフＩＤである。会員識別情報とは、クレジットカード発行会社がクレジットカード保有者に付与した固有の識別情報である。例えば、会員番号である。クライアント契約内容とは、本システムを運営・稼動する企業（例えば、ＡＰＬＵＳ社）とクライアント（提携派遣会社）との間で交わされた契約の内容であり、具体的には、クライアントが登録スタッフに付与した１ポイント当りの費用［コスト＋クレジットカード発行会社手数料］（Ｙ円／１ポイント）である。Ａポイント情報とは、クレジットカードの使用（クレジットカードによる支払）によって生じるポイントの情報（点数）である。Ｃポイント情報とは、派遣会社が登録スタッフに付与したポイントの情報（点数）である。ポイントコストとは、派遣会社が登録スタッフに付与したポイントの支払いに要する費用であり、Ｙ（円／１ポイント）×ポイントの点数である。
【００２４】
本ポイントシステムは、クレジットカード発行会社（ＡＰＬＵＳ）が管理・運営するサーバーＳと、クレジットカード発行会社（ＡＰＬＵＳ）が使用するセンター端末Ａと、提携派遣会社が使用するクライアント端末Ｃとを有する。そして、サーバーＳとセンター端末Ａやクライアント端末Ｃとは、互いに、専用回線あるいはインターネットを介して繋がっている。
【００２５】
センター端末Ａは、演算（制御）手段Ａ１と、記憶手段Ａ２と、例えばプリンタやモニター（表示画面）などの出力手段Ａ３と、例えばキーボード等の入力手段Ａ４とを有する。
【００２６】
そして、クレジットカード加盟店においてクレジットカードによる支払（決済）が行われると、その情報がクレジットカード加盟店からセンター端末Ａに送信されるよう構成されている。すなわち、クレジットカードによる売上日（支払日）と売上金額（支払金額）とクレジットカードの会員番号とがクレジットカード加盟店からセンター端末Ａに送信されるように構成されている。これを受けて、センター端末Ａの制御手段Ａ１は、記憶手段Ａ２の売上データテーブルＴ１に、クレジットカードによる売上日（支払日）と売上金額（支払金額）とクレジットカードの会員番号とを関連付けて記憶させるように構成されている。そして、制御手段Ａ１は、所定の期日（処理日）に至ると、売上データテーブルＴ１から会員番号毎に売上金額を読み出して合計を行い、この合計額に基づいてポイント数を算出し、この算出ポイント数を会員番号に関連付けて記憶させ、又、サーバーＳに向けて送信させるよう構成されている。
【００２７】
クライアント端末Ｃは、演算（制御）手段Ｃ１と、記憶手段Ｃ２と、例えばプリンタやモニター（表示画面）などの出力手段Ｃ３と、例えばキーボード等の入力手段Ｃ４とを有する。
【００２８】
そして、入力手段Ｃ４によってスタッフＩＤと当該スタッフＩＤの者に付与された当月のポイント数とが入力されると、制御手段Ｃ１は、これ等の情報を互いに関連付けてスタッフ識別情報−Ｃポイント情報データテーブルＴ２に記憶せしめると共に、前記情報（スタッフＩＤと当月ポイント数）に企業番号を付加してサーバーＳに向けて送信させるように構成されている。又、サーバーＳから送信されて来た情報を受信させ、ポイントコストの情報を記憶手段Ｃ２のポイント原資データテーブルに記憶せしめるよう構成されている。
【００２９】
サーバーＳは、演算（制御）手段Ｓ１と、記憶手段Ｓ２とを有する。勿論、例えばプリンタやモニター（表示画面）などの出力手段や、例えばキーボード等の入力手段を備えていても良い。
【００３０】
サーバーＳの記憶手段Ｓ２は、企業番号とスタッフＩＤと会員番号とが関連付けられて記憶されている識別情報データテーブルＴ３と、企業番号と該企業との契約内容とが関連付けられて記憶されている契約内容データテーブルＴ４と、会員番号と該会員番号のクレジットカードの効力（有効か無効）とが関連付けられて記憶されているクレジットカード効力データテーブルＴ５と、会員番号とポイント数とが関連付けられて記憶されるポイント情報データテーブルＴ６と、企業番号とポイントコストとが関連付けられて記憶されるポイントコストデータテーブルＴ７とを有している。
【００３１】
サーバーＳの制御手段Ｓ１は、クレジットカード効力判定手段Ｓ１１と、ポイント情報データテーブル作成手段Ｓ１２，Ｓ１３と、ポイントコスト算出手段Ｓ１４と、送信指示手段Ｓ１５，Ｓ１６とを有する。
【００３２】
クレジットカード効力判定手段Ｓ１１は、クライアント端末Ｃから送信されて来た企業番号、及びスタッフＩＤを基にして識別情報データテーブルＴ３から読み出した会員番号を基にしてクレジットカード効力データテーブルＴ５から該クレジットカードの効力を読み出し、クレジットカードの有効・無効を判定するよう構成されている。
【００３３】
ポイント情報データテーブル作成手段Ｓ１２は、センター端末Ａから送信されて来た会員番号とポイント数とを関連付けてポイント情報データテーブルＴ６に記憶させるように構成されている。ポイント情報データテーブル作成手段Ｓ１３は、クライアント端末Ｃから送信されて来た企業番号、及びスタッフＩＤを基にして識別情報データテーブルＴ３から読み出した会員番号と、クライアント端末Ｃから送信されて来たポイント数とを関連付けてポイント情報データテーブルＴ６に記憶させるように構成されている。
【００３４】
ポイントコスト算出手段Ｓ１４は、ポイント情報データテーブル作成手段Ｓ１３で作成されたポイント情報データテーブルＴ６に記憶されている情報を読み出し、この読み出された会員番号のポイント数に相当する原資となるポイントコストを算出するよう構成されている。すなわち、ポイント情報データテーブル作成手段Ｓ１３で作成されたポイント情報データテーブルＴ６から読み出された会員番号を基にして識別情報データテーブルＴ３から企業番号を読み出し、この読み出された企業番号を基にして契約内容データテーブルＴ４からクライアント契約内容（１ポイント当りＹ円）を読み出し、この１ポイント当りＹ円の情報を基にしてポイント数に相当する原資となるポイントコストを算出するよう構成されている。そして、このポイントコストと企業番号とを関連付けてポイントコストデータテーブルＴ７に記憶せしめるように構成されている。
【００３５】
送信指示手段Ｓ１５は、ポイントコストデータテーブルＴ７に記憶されている情報を読み出してクライアント端末Ｃに送信させるよう構成されている。送信指示手段Ｓ１６は、クレジットカード効力判定手段Ｓ１１が該クレジットカードの効力がを無効と判定した場合、該無効のクレジットカードのスタッフＩＤを対応するクライアント端末Ｃに送信させるよう構成されている。
【００３６】
次に、上記のように構成させた本ポイントシステムの動作について説明する。
【００３７】
先ず、派遣会社は、クライアント端末Ｃの入力手段Ｃ４を用いて、スタッフＩＤ、及び或るスタッフＩＤの者に対して付与したポイント（Ｃ点）を入力する。これを受けて、制御手段Ｃ１は、スタッフＩＤとＣ点とを関連付けて記憶手段Ｃ２に記憶させると共に、前記情報（スタッフＩＤとＣ点）に、自己の企業番号を付加し、この情報（企業番号とスタッフＩＤとＣ点）をサーバーＳに向けて送信させる（Ｓｔ１）。
【００３８】
クライアント端末Ｃからの情報（企業番号とスタッフＩＤとＣ点）を受信（Ｓｔ２）すると、サーバーＳの制御手段Ｓ１は、識別情報データテーブルＴ３を読み出し、クライアント端末Ｃから受け取った企業番号とスタッフＩＤとをキーにして会員番号を検出する。更に、制御手段Ｓ１は、クレジットカード効力データテーブルＴ５を読み出し、前記検出した会員番号をキーにして、該会員番号の者が有するクレジットカードが現在も有効であるか、それとも無効になっているかを読み出す。すなわち、クレジットカードの有効・無効を判定する（Ｓｔ３）。
【００３９】
クレジットカード効力判定ステップ（Ｓｔ３）において、クレジットカードが無効と判定された場合、サーバーＳの制御手段Ｓ１は、そのクレジットカードが無効である旨の無効情報と、該クレジットカードの会員番号に対応するスタッフＩＤ（更には、必要に応じて企業番号）とを、該企業番号が対応しているクライアント端末Ｃに向けて送信させる（Ｓｔ４）。この無効情報送信ステップ（Ｓｔ４）を受けて、クライアント端末Ｃの制御手段Ｃ１は、記憶手段Ｃ２に記憶させる。
【００４０】
クレジットカード効力判定ステップ（Ｓｔ３）において、クレジットカードが有効と判定された場合、サーバーＳの制御手段Ｓ１は、Ｃポイント情報受信ステップ（Ｓｔ２）で受信した企業番号とスタッフＩＤとをキーにして検出した会員番号とＣ点とを関連付けてポイント情報データテーブルＴ６に記憶させる（Ｓｔ５）。
【００４１】
そして、所定の期日が到来すると、サーバーＳの制御手段Ｓ１は、ポイント情報データテーブル作成ステップ（Ｓｔ５）で作成されているポイント情報データテーブルＴ６を読み出し、このテーブルＴ６から読み出した会員番号をキーにして識別情報データテーブルＴ３から企業番号を読み出し、この読み出した企業番号をキーにして契約内容データテーブルＴ４から契約内容（１ポイント当りＹ円）を読み出す。そして、サーバーＳの制御手段Ｓ１は、該会員番号のポイント数とＹ（円／１ポイント）との積を演算し、この演算値を前記企業番号及びスタッフＩＤに関連付けてポイントコストデータテーブルＴ７に記憶させる（Ｓｔ６）。
【００４２】
そして、所定の期日が到来すると、サーバーＳの制御手段Ｓ１は、ポイントコスト算出ステップ（Ｓｔ６）で作成されているポイントコストデータテーブルＴ７を読み出し、読み出された企業番号が該当するクライアント端末Ｃに向けてポイントコストを送信させる（Ｓｔ７）。
【００４３】
前記ポイントコスト送信ステップ（Ｓｔ７）を受けて、クライアント端末Ｃの制御手段Ｃ１は、ポイントコストを受信させ、記憶手段Ｃ２に記憶させる（Ｓｔ８）。
【００４４】
そして、派遣会社は、所定の期日に、クライアント端末Ｃを操作し、記憶手段Ｃ２に記憶されているポイントコストを読み出し、ポイント代として要する費用をＡＰＬＵＳ社に支払う。
【００４５】
上記のフローは、派遣会社が登録スタッフに報奨として給与以外にポイント（ポイント数：Ｃ点）を付与する場合の一連のフローである。
【００４６】
ところで、本発明は、上記した通り、派遣会社が単独でポイントサービスを運営するにはコストが掛かり過ぎることから、クレジットカード会社（ＡＰＬＵＳ社）のポイントサービスのシステムを利用する点に特徴が有る。従って、クレジットカードの使用による場合のポイントサービスのフローについても簡単に述べる。
【００４７】
クレジットカード加盟店においてクレジットカードによる支払（決済）が行われると、その情報がクレジットカード加盟店からセンター端末Ａに送信される。すなわち、クレジットカードによる売上日（支払日）と売上金額（支払金額）とクレジットカードの会員番号とがクレジットカード加盟店からセンター端末Ａに送信される（Ｓｔ２１）。
【００４８】
これを受けて、センター端末Ａの制御手段Ａ１は、記憶手段Ａ２の売上データテーブルＴ１に、クレジットカードによる売上日（支払日）と売上金額（支払金額）とクレジットカードの会員番号とを関連付けて記憶させる（Ｓｔ２２）。
【００４９】
そして、所定の期日（処理日）に至ると、制御手段Ａ１は、売上データテーブルＴ１から会員番号毎に売上金額を読み出して合計を行い、この合計額に基づいてポイント数を算出し、この算出ポイント数（Ａ点）を会員番号に関連付けて記憶させると共に、算出ポイント数（Ａ点）と会員番号とをサーバーＳに向けて送信させる（Ｓｔ２３）。
【００５０】
これを受けて、サーバーＳの制御手段Ｓ１は、会員番号とＡ点とを関連付けてポイント情報データテーブルＴ６に記憶させる（Ｓｔ２４）。
【００５１】
尚、登録スタッフは、ホームページの所定欄を開くことによって、ポイント情報データテーブルＴ６に記憶されているポイント情報を手にすることが出来る。或いは、クレジットカード会社からの通知によってポイント情報を手にすることが出来る。尚、得られたポイント（Ａ点）とポイント（Ｃ点）とは別々に独立して記憶されているから、これを別々に使用することも出来、又、合計して使用することも出来る。そして、合算比率が設定されておれば、ポイント情報データテーブルＴ６にＡ点とＣ点との合計ポイント数を表示することも出来る。
【００５２】
又、上記の例では、センター端末ＡとサーバーＳとを別体の場合で説明しているが、これは一体のものであっても良いことは勿論である。
【００５３】
本発明のシステムは、コンピュータプログラムによっても実現される。すなわち、図１１に示される如く、プロセッサ３１とプログラムメモリ３２と記憶媒体３３とから構成される。プロセッサ３１は、サーバーＳの制御手段Ｓ１の全部または一部の機能を、プログラムメモリ３２に格納されたプログラムに基づいて処理する。記憶媒体３３にはこれ等の全部または一部が格納される。
【図面の簡単な説明】
【００５４】
【図１】本発明になるポイントシステム全体の概略図
【図２】識別情報データテーブルの概略図
【図３】契約内容データテーブルの概略図
【図４】クレジットカード効力データテーブルの概略図
【図５】ポイント情報データテーブルの概略図
【図６】ポイントコストデータテーブルの概略図
【図７】スタッフ識別情報−Ｃポイント情報データテーブルの概略図
【図８】売上データテーブルの概略図
【図９】本発明になるポイント付与の動作説明図
【図１０】ポイント付与の動作説明図
【図１１】他の実施形態の概略図
【符号の説明】
【００５５】
Ｓ                  サーバー
Ａ                  センター端末
Ｃ                  クライアント端末
Ｓ１，Ａ１，Ｃ１    制御手段
Ｓ２，Ａ２，Ｃ２    記憶手段
Ｓ１１              クレジットカード効力判定手段
Ｓ１２，Ｓ１３      ポイント情報データテーブル作成手段
Ｓ１４              ポイントコスト算出手段
Ｓ１５，Ｓ１６      送信指示手段
Ｔ１                売上データテーブル
Ｔ２                スタッフ識別情報−Ｃポイント情報データテーブル
Ｔ３                識別情報データテーブル
Ｔ４                契約内容データテーブル
Ｔ５                クレジットカード効力データテーブル
Ｔ６                ポイント情報データテーブル
Ｔ７                ポイントコストデータテーブル
代  理  人  宇  高  克  己
【図１】
2006350597.tif 000003
【図２】
2006350597.tif 000004
【図３】
2006350597.tif 000005
【図４】
2006350597.tif 000006
【図５】
2006350597.tif 000007
【図６】
2006350597.tif 000008
【図７】
2006350597.tif 000009
【図８】
2006350597.tif 000010
【図９】
2006350597.tif 000011
【図１０】
2006350597.tif 000012
【図１１】
2006350597.tif 000013